(57)【要約】【課題】部品点数を増やすことなくロール紙の高い搬送力を得ると共に、ロール紙のセッティングを簡易化し、さらに電源停止時にもロール紙を手動で容易に引き出す。【解決手段】ロール紙２を回動自在に支持するホルダ体３と、一端４をロール紙２に接離する方向に回動自在に支持し他端５側がロール紙２に当接する蓋部６とを備えたロール紙供給装置１において、蓋部６には、ロール紙２を送り出す送りローラと、該送りローラを回転駆動する駆動部とを収納してなると共に、送りローラはロール紙２の回転中心より他端５側に配置されてなる。【選択図】        図１
2004357960.tif 000002
【特許請求の範囲】
【請求項１】
ロール紙を回動自在に支持するホルダ体と、一端を前記ロール紙に接離する方向に回動自在に支持し他端側が前記ロール紙に当接する蓋部とを備えたロール紙供給装置において、前記蓋部には、前記ロール紙を送り出す送りローラと、該送りローラを回転駆動する駆動部とを収納してなると共に、前記送りローラは前記ロール紙の中心より前記他端側に配置されてなることを特徴とするロール紙供給装置。
【請求項２】
前記駆動部に電気を供給する電源を前記蓋部に収納して備えることを特徴とする請求項１記載のロール紙供給装置。
【請求項３】
前記駆動部は、モータと、該モータの回転トルクを前記ローラに伝達する減速機構とを備えることを特徴とする請求項１または２記載のロール紙供給装置。
【請求項４】
前記蓋部の他端には送り出された前記ロール紙を切断するカッタが設けられていることを特徴とする請求項１から３までのいずれか記載のロール紙供給装置。
【発明の詳細な説明】
【０００１】
【発明の属する技術分野】
本発明は、ロール紙を回転させて供給するロール紙供給装置に関する。さらに詳述すると、本発明は、トイレットペーパやキッチンペーパなどの薄紙を供給するのに適したロール紙供給装置に関する。
【０００２】
【従来の技術】
この種のロール紙供給装置としては、トイレットペーパを保持する受け皿に駆動ローラを設けて、該ローラを回転させることによりトイレットペーパを回転させて外部に供給するものが開発されている（登録実用新案第３０２４５３７号公報参照）。
【０００３】
また、その他のロール紙供給装置として、ロールから出たトイレットペーパを一対のローラにより挟み、該ローラ対を回転させることによりトイレットペーパを引き出して外部に供給するものが開発されている（特公平６−５９２６８号公報参照）。
【０００４】
【特許文献１】
登録実用新案第３０２４５３７号
【０００５】
【特許文献２】
特公平６−５９２６８号
【０００６】
【発明が解決しようとする課題】
しかしながら、上述したローラを設けた受け皿にトイレットペーパを保持させるロール紙供給装置では、トイレットペーパの自重でローラに接触しているのでトイレットペーパは軽いことから接触圧が不十分で強い搬送力を得るのは困難である。また、使用によりトイレットペーパの重量が変化するので搬送力が著しく変化してしまう。特にトイレットペーパの残りが少なくなって軽くなるとローラは空転し易い。ローラの空転を防止するためトイレットペーパからローラに圧力を加えるように錘やばねを設けることが考えられるが、これでは部品点数が増加してしまう。
【０００７】
また、ロールから出たトイレットペーパを一対のローラにより挟んで供給するロール紙供給装置では、一対のローラが必要なので部品点数が多い。しかも、トイレットペーパのセッティング時に先端をローラ対に入れなければならず操作性が良くない。自動でセッティングできる装置を設けると部品点数が増えてしまう。
【０００８】
さらに、電池切れや停電などで電源が供給されなくなった場合に、手でトイレットペーパを引っ張るとローラ対を回転させなければならないので取り出すことが困難である。また、ロール紙はやぶれ易い。これを防止するためにローラ対にクラッチを設ける必要があるが、部品点数が多くなってしまい機構が複雑化してしまう。
【０００９】
しかも、全体として大きいのでトイレなどに設置すると違和感を生じてしまいデザインが良くない。また、トイレットペーパの取り付け方法がロール紙供給装置を取り付ける前と変わってしまうので、慣れが必要である。
【００１０】
そこで、本発明は、部品点数を増やすことなくロール紙の高い搬送力を得ると共に、ロール紙のセッティングを簡易化し、さらに電源停止時にもロール紙を手動で容易に引き出すことができるロール紙供給装置を提供することを目的とする。
【００１１】
【課題を解決するための手段】
かかる目的を達成するため、請求項１記載の発明は、ロール紙を回動自在に支持するホルダ体と、一端をロール紙に接離する方向に回動自在に支持し他端側がロール紙に当接する蓋部とを備えたロール紙供給装置において、蓋部には、ロール紙を送り出す送りローラと、該送りローラを回転駆動する駆動部とを収納してなると共に、送りローラはロール紙の中心より他端側に配置されてなるようにしている。
【００１２】
したがって、少なくともローラと駆動部とを備えた蓋部がロール紙に上側から接触してローラをロール紙に自重で適度な力で押圧するので、従来のようにロール紙の自重でローラに接触するより接触圧を高めることができる。このため、ローラの空転を防止してロール紙の搬送力を高めることができる。
【００１３】
また、送りローラをロール紙の中心より他端側に配置しているので、ロール紙の残りが少なくなってもローラが常にロール紙に接触して適切なパッド圧を得ることができる。このため、ロール紙の量によらず、ロール紙の供給を確実にすることができる。
【００１４】
さらに、手動式紙巻機の蓋部分を本ロール紙供給装置に取り替えるだけで良いので、ロール紙の設置方法は従来と何ら変わらず、操作性を維持することができる。しかも、既存の手動式紙巻機の蓋以外の部材をそのまま利用することができる。
【００１５】
また、手動式紙巻機と比較しても蓋部分だけが大きくなるだけなので、シンプルなまとまったデザインにすることができる。
【００１６】
そして、請求項２記載の発明は、請求項１記載のロール紙供給装置において、駆動部に電気を供給する電源を蓋部に収納して備えるようにしている。したがって、蓋部がより十分に重くなるので、ロール紙へのパッド圧を高めてロール紙の供給をより確実にできる。
【００１７】
また、請求項３記載の発明は、請求項１または２記載のロール紙供給装置において、駆動部は、モータと、該モータの回転トルクをローラに伝達する減速機構とを備えるようにしている。したがって、モータの回転が減速機構を経てローラを回転させる。
【００１８】
さらに、減速機構を用いることで、モータの最大効率の回転数に合わせることができ、消費電流を抑え、電源（電池）の長寿命化が図れる。
【００１９】
さらに、請求項４記載の発明は、請求項１から３までのいずれか記載のロール紙供給装置において、蓋部の他端には送り出されたロール紙を切断するカッタが設けらるようにしている。したがって、カッタを利用してロール紙を容易に切断することができる。
【００２０】
【発明の実施の形態】
以下、本発明の構成を図面に示す実施形態に基づいて詳細に説明する。
【００２１】
図１〜図６に本発明のロール紙供給装置１の実施の一形態を示す。このロール紙供給装置１は、ロール紙２を回動自在に支持するホルダ体３と、一端４をロール紙２に接離する方向に回動自在に支持し他端５側がロール紙２に当接する蓋部６とを備えたものである。そして、蓋部６には、ロール紙２を送り出す送りローラ７と、該送りローラ７を回転駆動する駆動部８とを収納してなると共に、送りローラ７はロール紙２の回転中心より他端５側に配置されてなる。
【００２２】
本実施形態では、ロール紙２はトイレットペーパとしている。そして、蓋部６は現行の手動式紙巻機の蓋と交換可能な形状としている。ホルダ体３は現行の手動式紙巻機のものをそのまま利用する。
【００２３】
送りローラ７は、実施例ではゴム製で、同軸上の２箇所に設けられている。送りローラ７の軸９は蓋部６のケーシングの溝１０により回転可能に支持されている。図６に示すように、送りローラ７の設置位置は、蓋部６の回転中心１１からロール紙２の最小径の上端部（ＡＡ点）までより遠く、かつ蓋部６の回転中心からロール紙２の最小径の他端５側端部（ＢＢ点）までより近い範囲Ｘにしている。これにより、ロール紙２の量によらず常に送りローラ７がロール紙２に接触することができる。しかも、均等な圧力で接触するので搬送力を一定にすることができる。
【００２４】
なお、送りローラ７は、ゴム製に限定されるものではなく、例えば、セラミックローラ、凹凸付き金属ローラ等を用いても良く、ロール紙２を確実に送り出すことができればよい。
【００２５】
蓋部６には、駆動部８に電気を供給する電源１２が収納して備えられている。本実施形態では電源１２として乾電池を使用している。よって、蓋部６が十分に重くなるので、ロール紙２へのパッド圧を高めてロール紙２の供給をより確実にできる。蓋部６には、電源１２を収容するための電池ボックス３０が形成されている。
【００２６】
駆動部８は、モータ１３と、該モータ１３の回転トルクを送りローラ７に伝達する減速機構１４とを備えるようにしている。減速機構１４としては多段の減速ギアを使用している。この減速機構１４は、モータ１３のピニオン１５と送りローラ７に設けられたピニオン１６とをギア列により連結している。図中、符号２０はギア列を抑えるための地板である。
【００２７】
このギア列の中には、図４に示すようにワンウェイクラッチ１７を用いている。このワンウェイクラッチ１７は、モータ１３の駆動を送りローラ７に伝達する一方、モータ１３の停止時にロール紙２を手動で引っ張って送りローラ７を回転させたときには切れるものとしている。これにより、電源を入れてないときでも手動でロール紙２を容易に引き出すことができる。
【００２８】
また、図３に示すように、減速機構１４のギア列は横方向に並べて配置している。これにより、蓋部６が高くなってしまうことを防止できる。
【００２９】
さらに、蓋部６の他端５には、送り出されたロール紙２を切断するためのカッタ１８が設けられている。このカッタ１８はゴム製としている。
【００３０】
また、蓋部６には駆動部８を制御する制御部１９が収容されている。制御部１９は、図５に示すように第１スイッチ２１と、第２スイッチ２２と、各スイッチ２１，２２の動作時間を制限するタイマ２３，２４と、両スイッチ２１，２２がオンしたときに動作するＡＮＤゲート２５と、タイマ２３，２４またはＡＮＤゲート２５からの出力信号に基づいてモータ１３を制御する制御回路２６と、電源１２からの電圧を制御する定電圧回路２７とを備えている。そして、第１スイッチ２１のみがオンしたときはロール紙２を長く送り出し、第２スイッチ２２のみがオンしたときはロール紙２を短く送り出し、両スイッチ２１，２２がオンしたときはロール紙２を連続的に送り出すように設定している。
【００３１】
さらに、蓋部６には、図３に示すように第１の静電気除去用部材２８と第２の静電気除去用部材２９とが設けられている。第１の静電気除去用部材２８は操作者による静電気の帯電が制御回路に悪影響を与えるのを、または帯電を回路のＧＮＤへ逃がすのを防止するもので、第１スイッチ２１および第２スイッチ２２の側部に設けられた線ばねから成る。第２の静電気除去用部材２９はロール紙２から発生する静電気の帯電が制御回路に悪影響を与えるのを、または帯電を回路のＧＮＤへ逃がすのを防止するもので、蓋部６の下部からロール紙２に向けて設けられた線ばねから成る。これらの静電気除去用部材２８，２９は制御部１９のＧＮＤに接地されている。これらの静電気除去用部材２８，２９は操作者やロール紙２からの静電気の避雷針として作用するので、制御回路２６の誤動作を防止することができる。
【００３２】
上述したロール紙供給装置１の動作の一例を説明する。
【００３３】
ホルダ体３にロール紙２をセットして、蓋部６をロール紙２に乗せる。ここで、ホルダ体３は従来の手動式ものをそのまま利用できるので、従来からの操作性をそのまま維持することができる。
【００３４】
第１スイッチ２１と第２スイッチ２２の一方をオンする。これにより、タイマ２３，２４が作動して所定時間だけモータ１３が駆動される。あるいは両スイッチ２１，２２を同時にオンすることにより押してる間だけモータ１３が駆動される。モータ１３の回転は減速機構１４を介して送りローラ７に伝達される。送りローラ７には蓋部６の自重が与えられているので、その圧力でロール紙２を滑り無く回転させて搬送する。
【００３５】
タイマ２３，２４が終了するとモータ１３が停止しロール紙２の供給が止まる。使用者は送り出されたロール紙２を持ってカッタ１８で切断する。このとき、蓋部６に十分な重量があるので、蓋部６を手で抑えなくてもロール紙２を切断することができる。
【００３６】
モータ１３の停止時にロール紙２を下方に手で引っ張ると、送りローラ７が回転して減速機構１４が作動される。そして、ワンウェイクラッチ１７が空回りしてギア列からモータ１３が切り離されるので、ロール紙２を軽い力で引き出すことができる。
【００３７】
本実施形態によれば、静電気除去用部材２８，２９を設けているので、制御回路２６の誤動作を防止することができる。よって、耐静電気用のシールドが不要になると共に、制御部１９での耐静電気用の配慮が不要になる。このため、装置１の複雑化を最低限に抑えることができる。
【００３８】
また、２つのスイッチ２１，２２により３種類の動作を行うことができるので、スイッチの増加を抑えてコスト増を最低限にすることができる。しかも、スイッチが少ない分だけスイッチ２１，２２のサイズを大きくできるので、操作性が向上する。
【００３９】
なお、上述の実施形態は本発明の好適な実施の一例ではあるがこれに限定されるものではなく、本発明の要旨を逸脱しない範囲において種々変形実施可能である。例えば本実施形態では電源１２を蓋部６に収容しているが、これには限られず外部電源を使用しても良い。例えば外部電池ボックスやＡＣ電源を使用することができる。特にＡＣ電源を使用することにより、電池切れの心配を無くすことができる。また、制御部１９についても、蓋部６に収容することには限られず外部に設けても良い。例えば、便座の側部に制御部１９を設けて、スイッチ操作を便座横で行うようにしても良い。
【００４０】
また、本実施形態では減速機構１４としてギア列を使用しているが、これには限られずプーリとベルトなどの他の減速する機構を使用しても良い。さらに、本実施形態ではワンウェイクラッチ１７を設けているが、これには限られず設けなくても良い。この場合、ロール紙２を手動で引き出す場合は蓋部６を持ち上げれば容易に引き出すことができる。
【００４１】
さらに、本実施形態では蓋部６の自重のみでロール紙２に適度な圧力を掛けているが、市販の多くのロール紙、即ち、巻き締まり状態が異なるものに対応するためにパッド圧が不足している時には錘を設けたり、あるいはばね力を付勢するようにしても良い。そして、本実施形態ではゴム製のカッタ１８を設けているが、これには限られず金属製などの他の材質製としたり、あるいは無くても良い。
【００４２】
そして、本実施形態ではロール紙２としてトイレットペーパを使用しているが、これには限られずキッチンペーパなど各種ロール紙２に使用することができる。
【００４３】
【発明の効果】
以上の説明から明らかなように、請求項１記載のロール紙供給装置によれば、少なくともローラと駆動部とを備えた蓋部がロール紙に上側から接触してローラをロール紙に自重で押圧するので、従来のようにロール紙の自重でローラに接触するより接触圧を高めることができる。このため、ローラの空転を防止してロール紙の搬送力を高めることができる。
【００４４】
また、送りローラをロール紙の回転中心より他端側に配置しているので、ロール紙の残りが少なくなってもローラが常にロール紙に接触して適切なパッド圧を得ることができる。このため、ロール紙の量によらず、ロール紙の供給を確実にすることができる。
【００４５】
さらに、手動式紙巻機の蓋部分を本ロール紙供給装置に取り替えるだけで良いので、ロール紙の設置方法は従来と何ら変わらず、操作性を維持することができる。しかも、既存の手動式紙巻機の蓋以外の部材をそのまま利用することができる。よって、従来慣れ親しんだ手動式紙巻機と違和感の少ないデザインにすることができる。
【００４６】
また、手動式紙巻機と比較しても蓋部分だけが大きくなるだけなので、シンプルなまとまったデザインにすることができる。このため、例えばトイレで使用する場合は狭い空間に対して違和感を小さくすることができる。
【００４７】
そして、請求項２記載のロール紙供給装置によれば、蓋部が十分に重くなるので、ロール紙へのパッド圧を高めてロール紙の供給をより確実にできる。
【００４８】
また、請求項３記載のロール紙供給装置によれば、モータの回転が減速機構を経てローラを回転させる。
【００４９】
さらに、請求項４記載のロール紙供給装置によれば、カッタを利用してロール紙を容易に切断することができる。
【図面の簡単な説明】
【図１】本発明のロール紙供給装置を示す斜視図である。
【図２】ロール紙供給装置を示す側面図である。
【図３】蓋部を示す分解斜視図である。
【図４】蓋部の主要部を示す分解斜視図である。
【図５】制御部を示すブロック図である。
【図６】送りローラとロール紙との位置関係を示す側面図である。
【符号の説明】
１  ロール紙供給装置
２  ロール紙
３  ホルダ体
４  一端
５  他端
６  蓋部
７  ローラ
８  駆動部
１２  電源
１３  モータ
１４  減速機構
１８  カッタ
【図１】
2004357960.tif 000003
【図２】
2004357960.tif 000004
【図３】
2004357960.tif 000005
【図４】
2004357960.tif 000006
【図５】
2004357960.tif 000007
【図６】
2004357960.tif 000008